(57)【要約】【課題】  オブジェクト列とカーソル位置のオブジェクトに関連付けられたオブジェクト情報とが表示される閲覧画面の操作性を向上させた携帯情報端末を提供する。【解決手段】  複数のオブジェクト２３が配列されたオブジェクト列を表示するオブジェクト列表示部１２と、方向キー７の押下操作に基づいてオブジェクト列上でカーソル２４を移動させるカーソル移動部１１と、カーソル位置のオブジェクトに関連付けられたオブジェクト情報２５を表示するオブジェクト情報表示部１４と、パッド面に対するスライド操作に基づいて閲覧画面２０をスクロールさせる画面スクロール部１５により構成される。ディスプレイ３が縦長状態である場合には、押下操作又はスライド操作に基づいてカーソル２４を移動させる。一方、ディスプレイ３が横長状態である場合には、スライド操作に基づいて閲覧画面２０をスクロールさせ、押下操作に基づいてカーソル２４を移動させる。【選択図】  図３
2010108320.tif 000002
【特許請求の範囲】
【請求項１】
２以上のオブジェクトが配列されたオブジェクト列をディスプレイの閲覧画面上に表示するオブジェクト列表示手段と、
操作キーの押下操作に基づいて、上記オブジェクト列上でカーソルを移動させるカーソル移動手段と、
上記カーソルの位置の上記オブジェクトに関連付けられたオブジェクト情報を上記閲覧画面上で上記オブジェクト列の上側又は下側に表示するオブジェクト情報表示手段と、
パッド面に対するスライド操作に基づいて、上記閲覧画面を上下方向にスクロールさせる画面スクロール手段とを備えたことを特徴とする携帯情報端末。
【請求項２】
上記ディスプレイが縦長状態であるか、或いは、横長状態であるかを判別する端末状態判別手段を備え、
上記カーソル移動手段は、上記ディスプレイが縦長状態である場合に、上記押下操作又は上記スライド操作に基づいて上記カーソルを移動させ、
上記ディスプレイが横長状態である場合に、上記カーソル移動手段は上記押下操作に基づいて上記カーソルを移動させ、上記画面スクロール手段は上記スライド操作に基づいて上記閲覧画面をスクロールさせることを特徴とする請求項１に記載の携帯情報端末。
【請求項３】
上記画面スクロール手段が、上記カーソルの位置を変えることなく上記閲覧画面をスクロールさせることを特徴とする請求項１又は２に記載の携帯情報端末。
【請求項４】
上記画面スクロール手段が、上記カーソルの上記閲覧画面外への移動又は上記閲覧画面外における移動に連動して上記閲覧画面をスクロールさせることを特徴とする請求項１又は２に記載の携帯情報端末。
【請求項５】
上記画面スクロール手段は、移動後のカーソルが閲覧画面内に表示されるように閲覧画面をスクロールさせることを特徴とする請求項４に記載の携帯情報端末。
【請求項６】
上記オブジェクト情報表示手段は、上記ディスプレイが縦長状態である場合に、上記オブジェクト情報の全体を表示し、上記ディスプレイが横長状態である場合に、上記オブジェクト情報の一部を表示することを特徴とする請求項２に記載の携帯情報端末。
【請求項７】
２以上のオブジェクトが配列されたオブジェクト列をディスプレイの閲覧画面上に表示するオブジェクト列表示手段と、
上記閲覧画面に対するタッチ操作を検出するタッチ操作検出手段と、
上記タッチ操作の検出結果に基づいて、上記オブジェクト列上でカーソルを移動させるカーソル移動手段と、
上記カーソルの位置の上記オブジェクトに関連付けられたオブジェクト情報を上記閲覧画面上で上記オブジェクト列の上側又は下側に表示するオブジェクト情報表示手段と、
上記タッチ操作中のスライド操作に基づいて、上記閲覧画面を上下方向にスクロールさせる画面スクロール手段と、
上記ディスプレイが縦長状態であるか、或いは、横長状態であるかを判別する端末状態判別手段とを備え、
上記カーソル移動手段は、上記ディスプレイが縦長状態である場合に、上記タッチ操作された位置に上記カーソルを移動させ、或いは、上記スライド操作に基づいて上記カーソルを移動させ、
上記ディスプレイが横長状態である場合に、上記画面スクロール手段は上記スライド操作に基づいて上記閲覧画面をスクロールさせ、上記カーソル移動手段は上記タッチ操作された位置に上記カーソルを移動させることを特徴とする携帯情報端末。
【発明の詳細な説明】
【技術分野】
【０００１】
本発明は、携帯情報端末に係り、さらに詳しくは、複数のオブジェクトが配列されたオブジェクト列とカーソルの位置のオブジェクトに関連付けられたオブジェクト情報とを閲覧画面上に表示する携帯情報端末の改良に関する。
【背景技術】
【０００２】
カレンダー上のアイコンなどのオブジェクトを選択することによって、当該オブジェクトに関連付けて登録されたスケジュール表などの詳細情報を表示させることができる携帯電話機が従来から知られている。通常、オブジェクトの選択は、方向キーなどの操作キーを操作して画面上のカーソルを移動させることによって行われる。一方、画面内に表示しきれない詳細情報がある場合、オブジェクト列や詳細情報が配置された閲覧画面をスクロールさせることが考えられる。例えば、タッチパッドを備えた携帯電話機では、パッド面上で指をスライドさせることによって閲覧画面をスクロールさせることができる。しかしながら、従来の携帯電話機では、カーソルが閲覧画面の上端又は下端に位置する場合に、閲覧画面を上下方向にスクロールさせると、カーソルが移動し、詳細情報が他のオブジェクトのものに切り替えられてしまうという問題があった。
【０００３】
なお、特許文献１には、スクロールバー内のスライダーを操作することによってウィンドウ画面をスクロールさせる技術が開示されているが、画面をスクロールさせてもカーソルが移動しないようにするものではない。
【特許文献１】特開平１０−１７１６２５号公報
【発明の開示】
【発明が解決しようとする課題】
【０００４】
本発明は、上記事情に鑑みてなされたものであり、複数のオブジェクトが配列されたオブジェクト列とカーソルの位置のオブジェクトに関連付けられたオブジェクト情報とが表示される閲覧画面の操作性を向上させた携帯情報端末を提供することを目的としている。特に、ディスプレイが縦長状態であるか、或いは、横長状態であるかに関わらず、良好な操作性を得ることができる携帯情報端末を提供することを目的としている。また、閲覧画面をスクロールさせてもカーソルが移動しないようにした携帯情報端末を提供することを目的としている。
【課題を解決するための手段】
【０００５】
第１の本発明による携帯情報端末は、２以上のオブジェクトが配列されたオブジェクト列をディスプレイの閲覧画面上に表示するオブジェクト列表示手段と、操作キーの押下操作に基づいて、上記オブジェクト列上でカーソルを移動させるカーソル移動手段と、上記カーソルの位置の上記オブジェクトに関連付けられたオブジェクト情報を上記閲覧画面上で上記オブジェクト列の上側又は下側に表示するオブジェクト情報表示手段と、パッド面に対するスライド操作に基づいて、上記閲覧画面を上下方向にスクロールさせる画面スクロール手段とを備えて構成される。
【０００６】
第２の本発明による携帯情報端末は、上記構成に加え、上記ディスプレイが縦長状態であるか、或いは、横長状態であるかを判別する端末状態判別手段を備え、上記カーソル移動手段が、上記ディスプレイが縦長状態である場合に、上記押下操作又は上記スライド操作に基づいて上記カーソルを移動させ、上記ディスプレイが横長状態である場合に、上記カーソル移動手段は上記押下操作に基づいて上記カーソルを移動させ、上記画面スクロール手段は上記スライド操作に基づいて上記閲覧画面をスクロールさせるように構成される。
【０００７】
この様な構成によれば、ディスプレイが縦長状態である場合には、操作キーを押下操作するか、或いは、パッド面に対してスライド操作すれば、カーソルを移動させられるので、縦長状態時の操作性を向上させることができる。一方、ディスプレイが横長状態である場合には、パッド面に対してスライド操作すれば閲覧画面をスクロールさせられるので、閲覧画面内に表示しきれないオブジェクト情報が存在する場合に、閲覧画面のスクロールによってそれらの情報を表示させることができる。従って、ディスプレイが縦長状態であるか、或いは、横長状態であるかに関わらず、良好な操作性を得ることができる。
【０００８】
第３の本発明による携帯情報端末は、上記構成に加え、上記画面スクロール手段が、上記カーソルの位置を変えることなく上記閲覧画面をスクロールさせるように構成される。この様な構成によれば、カーソルの位置を変えることなく閲覧画面のスクロールが行われるので、閲覧画面をスクロールさせてもカーソルが移動しないようにした携帯情報端末を実現することができる。
【０００９】
第４の本発明による携帯情報端末は、上記構成に加え、上記画面スクロール手段が、上記カーソルの上記閲覧画面外への移動又は上記閲覧画面外における移動に連動して上記閲覧画面をスクロールさせるように構成される。
【００１０】
第５の本発明による携帯情報端末は、上記構成に加え、上記画面スクロール手段が、移動後のカーソルが閲覧画面内に表示されるように閲覧画面をスクロールさせるように構成される。
【００１１】
第６の本発明による携帯情報端末は、上記構成に加え、上記オブジェクト情報表示手段は、上記ディスプレイが縦長状態である場合に、上記オブジェクト情報の全体を表示し、上記ディスプレイが横長状態である場合に、上記オブジェクト情報の一部を表示するように構成される。
【００１２】
第７の本発明による携帯情報端末は、２以上のオブジェクトが配列されたオブジェクト列をディスプレイの閲覧画面上に表示するオブジェクト列表示手段と、上記閲覧画面に対するタッチ操作を検出するタッチ操作検出手段と、上記タッチ操作の検出結果に基づいて、上記オブジェクト列上でカーソルを移動させるカーソル移動手段と、上記カーソルの位置の上記オブジェクトに関連付けられたオブジェクト情報を上記閲覧画面上で上記オブジェクト列の上側又は下側に表示するオブジェクト情報表示手段と、上記タッチ操作中のスライド操作に基づいて、上記閲覧画面を上下方向にスクロールさせる画面スクロール手段と、上記ディスプレイが縦長状態であるか、或いは、横長状態であるかを判別する端末状態判別手段とを備えて構成される。上記カーソル移動手段は、上記ディスプレイが縦長状態である場合に、上記タッチ操作された位置に上記カーソルを移動させ、或いは、上記スライド操作に基づいて上記カーソルを移動させる。一方、上記ディスプレイが横長状態である場合に、上記画面スクロール手段は上記スライド操作に基づいて上記閲覧画面をスクロールさせ、上記カーソル移動手段は上記タッチ操作された位置に上記カーソルを移動させる。
【００１３】
この様な構成によれば、ディスプレイが縦長状態である場合には、閲覧画面に対してタッチ操作するか、或いは、タッチ操作中にスライド操作すれば、カーソルを移動させられるので、縦長状態時の操作性を向上させることができる。一方、ディスプレイが横長状態である場合には、タッチ操作中にスライド操作すれば閲覧画面をスクロールさせられるので、閲覧画面内に表示しきれないオブジェクト情報が存在する場合に、閲覧画面のスクロールによってそれらの情報を表示させることができる。従って、ディスプレイが縦長状態であるか、或いは、横長状態であるかに関わらず、良好な操作性を得ることができる。
【発明の効果】
【００１４】
本発明による携帯情報端末によれば、ディスプレイが縦長状態であるか、或いは、横長状態であるかに関わらず、良好な操作性が得られるので、複数のオブジェクトが配列されたオブジェクト列とカーソルの位置のオブジェクトに関連付けられたオブジェクト情報とが表示される閲覧画面の操作性を向上させることができる。また、カーソルの位置を変えることなく閲覧画面のスクロールが行われるので、閲覧画面をスクロールさせてもカーソルが移動しないようにした携帯情報端末を実現することができる。
【発明を実施するための最良の形態】
【００１５】
図１及び図２は、本発明の実施の形態による携帯情報端末の概略構成の一例を示した斜視図であり、携帯情報端末の一例として折り畳み式の携帯電話機１が示されている。図１には、表示筐体２のディスプレイ３を縦長状態にした様子が示され、図２には、表示筐体２を回転させてディスプレイ３を横長状態にした様子が示されている。
【００１６】
この携帯電話機１は、ディスプレイ３を有する薄型の表示筐体２と、方向キー７などの複数の操作キーが設けられた操作パネル６を有する薄型の操作筐体５と、表示筐体２及び操作筐体５を回転可能に連結するヒンジ部４とからなる。
【００１７】
ディスプレイ３は、表示筐体２の一主面に配置され、スケジュール表、電話帳、受信メールなどの閲覧画面が矩形形状の表示領域内に表示される。表示筐体２には、ディスプレイ３を縦長状態にした場合にヒンジ部４とは反対側となる端部に受話用レシーバ１０が配置されている。
【００１８】
操作筐体５には、方向キー７、テンキー、オンフックキー、オフフックキーなどの操作キーと、タッチパッド８と、送話用マイクロホン９が配置されている。方向キー７などの操作キーは、接点開閉式スイッチによって構成される入力装置である。方向キー７は、上下左右の押圧部位に応じて異なる入力が可能な操作キーとなっている。
【００１９】
タッチパッド８は、矩形形状のパッド面を有し、パッド面を指で触ることによって閲覧画面上のカーソルを移動させたり、閲覧画面をスクロールさせることができる入力装置である。ここでは、指を近付けた際の静電容量の変化に基づいて、タッチ操作を検出する静電センサーがタッチパッド８として用いられるものとする。
【００２０】
携帯電話機１は、表示面及び操作面を略同一方向に向けて両筐体を展開させたオープン状態と、表示面及び操作面を対向させて両筐体を折り畳んだクローズ状態（収納状態）とが遷移可能となっている。さらに、オープン状態では、表示筐体２をヒンジ部４に対して表示面内で９０度回転させることによって、ディスプレイ３を縦長状態から横長状態に遷移させることができる。
【００２１】
図３は、図１の携帯電話機１の構成例を示したブロック図であり、携帯電話機１内の機能構成の一例が示されている。この携帯電話機１は、ディスプレイ３及びタッチパッド８の他に、カーソル移動部１１、オブジェクト列表示部１２、オブジェクト情報記憶部１３、オブジェクト情報表示部１４、画面スクロール部１５及び端末状態判別部１６を備えて構成される。
【００２２】
オブジェクト列表示部１２は、ディスプレイ３を制御し、複数のオブジェクトが配列されたオブジェクト列を閲覧画面上に表示する動作を行っている。ここでいうオブジェクトには、記号化された図形や絵文字などのグラフィカルな選択要素、例えば、アイコンと、文字列などのグラフィカルでない選択要素とが含まれるものとする。
【００２３】
カーソル移動部１１は、方向キー７の押下操作に基づいて、オブジェクト列上でカーソルを移動させる動作を行っている。
【００２４】
オブジェクト情報表示部１４は、カーソルの位置のオブジェクトに関連付けられたオブジェクト情報を閲覧画面上でオブジェクト列の上側又は下側に表示する動作を行っている。閲覧画面に表示するためのオブジェクト情報は、オブジェクトに対応付けて予め作成され、オブジェクト情報記憶部１３に保持されている。例えば、オブジェクトの詳細情報として、スケジュール表、電話帳の宛先情報、受信メールのメール本文などがオブジェクト情報として表示される。
【００２５】
カーソルによって選択されたオブジェクトは、所定の表示態様でフォーカス表示される。つまり、選択状態にあるオブジェクトは、非選択状態のオブジェクトとは異なる表示態様で表示される。
【００２６】
タッチパッド８は、ユーザが操作することによって電極の静電容量が変化する現象を利用して、パッド面に対するタッチ操作を検出する静電容量式のタッチセンサーである。ここでは、タッチ操作の開始及び終了のタイミングと、パッド面内における操作位置が検出されるものとする。
【００２７】
画面スクロール部１５は、タッチパッド８の出力に基づいて、パッド面に対するスライド操作を検知し、当該スライド操作に基づいて、閲覧画面を上下方向にスクロールさせる動作を行っている。
【００２８】
ここで、タッチパッド８上の操作位置とは、指をタッチパッド８に接触させた際の接触位置のことであり、接触状態を保持したまま操作位置が変化すれば、スライド操作されたと判断される。ここでいう接触状態には、指及びタッチパッド８が実際に当接している場合だけでなく、指がタッチパッド８から僅かに離れている場合が含まれるものとする。
【００２９】
端末状態判別部１６は、ディスプレイ３が縦長状態であるか、或いは、横長状態であるかを判別する動作を行っている。ディスプレイ３が縦長状態であるか、或いは、横長状態であるかは、例えば、重力を感知する重力センサーを用いて、表示筐体２が立てた状態であるか、或いは、寝かせた状態であるかを検知することによって識別することができる。或いは、ホール素子などの磁気センサーを用いてヒンジ部４に対する表示筐体２の回転を検知することによって識別することができる。
【００３０】
カーソル移動部１１では、ディスプレイ３が縦長状態である場合に、方向キー７の押下操作又はパッド面に対するスライド操作に基づいて、カーソルを移動させる動作が行われる。
【００３１】
一方、ディスプレイ３が横長状態である場合、画面スクロール部１５では、パッド面に対するスライド操作に基づいて、閲覧画面をスクロールさせる動作が行われる。また、カーソル移動部１１では、方向キー７の押下操作に基づいて、カーソルを移動させる動作が行われる。
【００３２】
さらに、閲覧画面のスクロールは、カーソルの位置を変えることなく行われる。また、カーソルの閲覧画面外への移動、或いは、カーソルの閲覧画面外における移動に連動して、閲覧画面をスクロールさせる動作が行われる。その際、移動後のカーソルが閲覧画面内に表示されるように閲覧画面をスクロールさせる。
【００３３】
オブジェクト情報表示部１４では、ディスプレイ３が縦長状態である場合に、オブジェクト情報の全体を表示し、ディスプレイ３が横長状態である場合に、オブジェクト情報の一部を表示する動作が行われる。
【００３４】
＜カレンダー表示＞
図４は、図１の携帯電話機１の構成例を模式的に示した説明図であり、横長状態のディスプレイ３上に表示される閲覧画面２０の一例が示されている。この閲覧画面２０は、複数のオブジェクト２３が配列されたオブジェクト列と、カーソル２４の位置のオブジェクトに関連付けられたオブジェクト情報２５とが表示されるカレンダー画面である。
【００３５】
ディスプレイ３が横長状態である場合、閲覧画面２０内には、複数のオブジェクト２３が配列されたオブジェクト列と、カーソル２４の位置のオブジェクト２３に関連付けられたオブジェクト情報２５の一部が表示される。
【００３６】
この例では、オブジェクト情報２５は、４行４列のマトリクス状にオブジェクト「Ａ１」〜「Ａ１６」が配列されたオブジェクト列の下側に配置され、１行分の文字列「ａ１」〜「ｇ１」が表示されている。また、閲覧画面２０の最上段には、電波の受信状態や時刻情報が絵文字（ピクトグラム）で表示されるピクト領域２１が配置され、その下には、オブジェクト列のタイトルなどが表示される表示領域２２が配置されている。
【００３７】
オブジェクト列及びオブジェクト情報２５は、表示領域２２の下に配置され、オブジェクト情報２５はオブジェクト列の下側に表示されている。
【００３８】
カーソル２４は、上下左右の方向キー７を操作することによって、移動させることができる。カーソル２４がオブジェクト列の最上段に位置する場合に、上方向の移動を指示するか、或いは、カーソル２４がオブジェクト列の最下段に位置する場合に、下方向の移動を指示すると、カレンダーの月が切り替えられる。
【００３９】
一方、タッチパッド８のパッド面上で指を上下方向にスライドさせることによって、閲覧画面２０を上下方向にスクロールさせることができる。
【００４０】
図５は、図１の携帯電話機１の動作の一例を模式的に示した説明図であり、図４の閲覧画面２０を上下方向にスクロールさせた場合の様子が示されている。この閲覧画面２０では、オブジェクト列の２行目から４行目と、３行分のオブジェクト情報２５が表示されている。
【００４１】
閲覧画面２０のスクロールは、表示領域２２の下に配置されているオブジェクト列及びオブジェクト情報２５に対して、カーソル２４の位置を変えることなく行われる。つまり、閲覧画面２０をスクロールさせても、カーソル２４によって選択状態にあるオブジェクト２３は変更されず、従って、オブジェクト情報２５として表示される内容もスクロール前後で変わらない。
【００４２】
図６は、図１の携帯電話機１の構成例を模式的に示した説明図であり、縦長状態のディスプレイ３上に表示された閲覧画面２０が示されている。ディスプレイ３が縦長状態である場合には、閲覧画面２０内には、オブジェクト列と、カーソル２４の位置のオブジェクト２３に関連付けられたオブジェクト情報２５の全体が表示される。
【００４３】
この例では、オブジェクト情報２５は、４行４列のマトリクス状にオブジェクト「Ａ１」〜「Ａ１６」が配列されたオブジェクト列の下側に配置され、３行分の文字列「ａ１」〜「ｇ１」、「ａ２」〜「ｇ２」、「ａ３」〜「ｇ３」が表示されている。また、閲覧画面２０の最上段には、ピクト領域２１が配置され、その下には、オブジェクト列のタイトルなどが表示される表示領域２２が配置されている。
【００４４】
カーソル２４は、上下左右の方向キー７を操作し、或いは、タッチパッド８のパッド面上で指を上下方向にスライドさせることによって、移動させることができる。
【００４５】
図７（ａ）及び（ｂ）は、図１の携帯電話機１の動作の一例を模式的に示した説明図であり、閲覧画面２０上のカーソル２４を上方向に移動させる場合の様子が示されている。図７（ａ）には、オブジェクト列の２行１列目のオブジェクト「Ａ５」が選択されている場合の様子が示され、図７（ｂ）には、その状態で上方向の移動が指示された場合の様子が示されている。
【００４６】
オブジェクト列の２行目から４行目と、３行分のオブジェクト情報２５が表示され、当該オブジェクト列の２行１列目のオブジェクト「Ａ５」が選択されている場合に、上方向の方向キー７を操作することによってカーソル２４を閲覧画面２０外へ移動させようとすると、そのカーソル２４の移動に連動して閲覧画面２０が上下方向にスクロールされる。
【００４７】
つまり、移動後のカーソル２４が閲覧画面２０内に表示されるように、閲覧画面２０がスクロールされる。
【００４８】
カーソル２４が閲覧画面２０外に位置する場合に、方向キー７を操作することによってカーソル２４を移動させた場合にも、閲覧画面２０外におけるカーソル２４の移動に連動して閲覧画面２０がスクロールされる。その際、移動後のカーソル２４が閲覧画面２０内に表示されるように、閲覧画面２０がスクロールされる。
【００４９】
本実施の形態によれば、ディスプレイ３が縦長状態である場合には、方向キー７を押下操作するか、或いは、タッチパッド８のパッド面に対してスライド操作すれば、カーソル２４を移動させられるので、縦長状態時の操作性を向上させることができる。一方、ディスプレイ３が横長状態である場合には、パッド面に対してスライド操作すれば閲覧画面２０をスクロールさせられるので、閲覧画面２０内に表示しきれないオブジェクト情報２５が存在する場合に、閲覧画面２０のスクロールによってそれらの情報を表示させることができる。従って、ディスプレイ３が縦長状態であるか、或いは、横長状態であるかに関わらず、良好な操作性を得ることができる。特に、カーソル２４の位置を変えることなく閲覧画面２０のスクロールが行われるので、閲覧画面２０をスクロールさせてもカーソル２４が移動しないようにした携帯電話機１を実現することができる。
【００５０】
なお、本実施の形態では、カーソル２４を移動させてオブジェクト２３が選択される場合の例について説明したが、本発明はこれに限られるものではない。例えば、タッチパッド８に代えて、閲覧画面２０に対するタッチ操作を検出するタッチパネルを備え、閲覧画面２０をタッチ操作することによってタッチ操作位置のオブジェクト２３を直接に選択するようなものであっても良い。
【００５１】
上記タッチパネルは、指を近付けた際の静電容量の変化に基づいて、ディスプレイ３の表示面に対するタッチ操作を検出する静電センサーであり、閲覧画面２０に対するタッチ操作を検出するタッチ操作検出手段となっている。
【００５２】
カーソル移動部１１では、タッチパネルによるタッチ操作の検出結果に基づいて、オブジェクト列上でカーソル２４を移動させる動作が行われる。画面スクロール部１５では、タッチ操作中のスライド操作に基づいて、閲覧画面２０を上下方向にスクロールさせる動作が行われる。
【００５３】
カーソル移動部１１は、ディスプレイ３が縦長状態である場合に、タッチ操作された位置にカーソルを移動させ、或いは、スライド操作に基づいてカーソルを移動させる。一方、ディスプレイ３が横長状態である場合には、画面スクロール部１５は、スライド操作に基づいて閲覧画面２０をスクロールさせ、カーソル移動部１１は、タッチ操作された位置にカーソル２４を移動させる。
【００５４】
この様な構成によっても、ディスプレイ３が縦長状態である場合には、閲覧画面２０に対してタッチ操作するか、或いは、タッチ操作中にスライド操作すれば、カーソル２４を移動させられるので、縦長状態時の操作性を向上させることができる。一方、ディスプレイ３が横長状態である場合には、タッチ操作中にスライド操作すれば閲覧画面２０をスクロールさせられるので、閲覧画面２０内に表示しきれないオブジェクト情報２５が存在する場合に、閲覧画面２０のスクロールによってそれらの情報を表示させることができる。従って、ディスプレイ３が縦長状態であるか、或いは、横長状態であるかに関わらず、良好な操作性を得ることができる。
【図面の簡単な説明】
【００５５】
【図１】本発明の実施の形態による携帯情報端末の概略構成の一例を示した斜視図であり、ディスプレイ３を縦長状態にした携帯電話機１が示されている。
【図２】本発明の実施の形態による携帯情報端末の概略構成の一例を示した斜視図であり、ディスプレイ３を横長状態にした携帯電話機１が示されている。
【図３】図１の携帯電話機１の構成例を示したブロック図であり、携帯電話機１内の機能構成の一例が示されている。
【図４】図１の携帯電話機１の構成例を模式的に示した説明図であり、横長状態のディスプレイ３上に表示される閲覧画面２０の一例が示されている。
【図５】図１の携帯電話機１の動作の一例を模式的に示した説明図であり、図４の閲覧画面２０を上下方向にスクロールさせた場合の様子が示されている。
【図６】図１の携帯電話機１の構成例を模式的に示した説明図であり、縦長状態のディスプレイ３上に表示された閲覧画面２０が示されている。
【図７】図１の携帯電話機１の動作の一例を模式的に示した説明図であり、閲覧画面２０上のカーソル２４を上方向に移動させる場合の様子が示されている。
【符号の説明】
【００５６】
１  携帯電話機
２  表示筐体
３  ディスプレイ
４  ヒンジ部
５  操作筐体
６  操作パネル
７  方向キー
８  タッチパッド
９  送話用マイクロホン
１０  受話用レシーバ
１１  カーソル移動部
１２  オブジェクト列表示部
１３  オブジェクト情報記憶部
１４  オブジェクト情報表示部
１５  画面スクロール部１５
１６  端末状態判別部
２０  閲覧画面
２１  ピクト領域
２２  表示領域
２３  オブジェクト
２４  カーソル
２５  オブジェクト情報
【図１】
2010108320.tif 000003
【図２】
2010108320.tif 000004
【図３】
2010108320.tif 000005
【図４】
2010108320.tif 000006
【図５】
2010108320.tif 000007
【図６】
2010108320.tif 000008
【図７】
2010108320.tif 000009